(57)【要約】      （修正有）【課題】嵩張ることなく、持ち運びに適した携帯用ヘアアイロンを提供する。【解決手段】毛髪を挟持して加熱する携帯用ヘアアイロン１であって、基端部１１を支点に開閉自在に連結する第１及び第２グリップ部１０ａ、１０ｂと、第１及び第２グリップ部１０ａ、１０ｂに、それぞれ、各グリップ部の長軸方向に移動可能に取り付けられる第１及び第２ヘッド部２０ａ、２０ｂと、を備え、第１及び第２ヘッド部２０ａ、２０ｂの少なくとも一方は、毛髪を加熱する加熱部２１を有する。【選択図】図２
0003208559.tif 000002
【実用新案登録請求の範囲】
【請求項１】
毛髪を挟持して加熱する携帯用ヘアアイロンであって、
基端部を支点に開閉自在に連結する第１及び第２グリップ部と、
前記第１及び第２グリップ部に、それぞれ、各グリップ部の長軸方向に移動可能に取り付けられる第１及び第２ヘッド部と、を備え、
前記第１及び第２ヘッド部の少なくとも一方は、毛髪を加熱する加熱部を有する携帯用ヘアアイロン。
【請求項２】
前記第１及び第２グリップ部は、先端部に、それぞれ第１及び第２固定具を有し、
前記第１及び第２ヘッド部は、対向する面の各背面に、それぞれ前記第１及び第２固定具を受ける第１及び第２固定具受けを有する、請求項１に記載の携帯用ヘアアイロン。
【請求項３】
前記第１固定具受けは、前記第１ヘッド部の背面に前記長軸方向の一側及び他側の両方に一対設けられ、
前記第２固定具受けは、前記第１ヘッド部の背面に前記長軸方向の一側及び他側の両方に一対設けられる、請求項２に記載の携帯用ヘアアイロン。
【請求項４】
前記第１及び第２ヘッド部は、更に、各背面に、それぞれ、前記一対の第１固定具受け間で前記第１固定具をガイドする第１固定具ガイド及び前記一対の第２固定具受け間で前記第２固定具をガイドする第２固定具ガイドを有する、請求項３に記載の携帯ヘアアイロン。
【請求項５】
前記第１及び第２グリップ部は、それぞれ、前記長軸方向に移動可能な第１及び第２固定具を有し、
前記第１及び第２ヘッド部は、対向する面の各背面に、それぞれ前記第１及び第２固定具を受ける第１及び第２固定具受けを有する、請求項１に記載の携帯用ヘアアイロン。
【請求項６】
前記第１及び第２グリップ部は、それぞれ、前記長軸方向に延びる第１及び第２ガイドを有し、
前記第１及び第２固定具は、それぞれ、前記第１及び第２ガイドを介して前記第１及び第２固定具受けにより受ける、請求項５に記載の携帯用ヘアアイロン。
【請求項７】
前記第１及び第２固定具受けは、それぞれ、前記第１及び第２ヘッド部の前記グリップ部の前記基端部に近接する位置に設けられる、請求項５又は６に記載の携帯用ヘアアイロン。
【請求項８】
前記第１及び第２ヘッド部の対向する面は平面である、請求項１〜７のいずれか一項に記載の携帯用ヘアアイロン。
【請求項９】
前記第１及び第２ヘッド部の一方が円柱状であり、他方が前記円柱状の外曲面に対応する曲面を有する板状体である、請求項１〜７のいずれか一項に記載の携帯用ヘアアイロン。
【考案の詳細な説明】
【技術分野】
【０００１】
本考案は、熱により頭髪をストレートに梳かす又はカールをつけるための携帯用ヘアアイロンに関するものである。
【背景技術】
【０００２】
ヘアアイロンは、ヒータを内蔵するヘッド部で髪を挟み、髪を加熱して所望の髪型に成形するものである。従来、ヘアアイロンとして、特許文献１に記載のようなヘッド部が円筒形であって髪を巻き付けて使用するもの（カールヘア用）、特許文献２に記載のような一対の平板状材からなり髪を挟んで使用するも（ストレートヘア用）が知られている。
【０００３】
一方、従来のヘアアイロンは、嵩張り、携行には不向きであることから、特許文献３に記載のような収納及び持ち運びの為に折り畳みが可能なヘアアイロンが提案されている。しかしながら、長軸方向の長さは約半分になるものの、全体の体積が減少することはなく、嵩張ったままであった。
【先行技術文献】
【特許文献】
【０００４】
【特許文献１】登実３１９６９５０号公報
【特許文献２】登実３１０２１８６号公報
【特許文献３】特開２００２−６５３３５号公報
【考案の概要】
【考案が解決しようとする課題】
【０００５】
本考案は、嵩張ることなく、持ち運びに適した携帯用ヘアアイロンを提供することを目的とする。
【課題を解決するための手段】
【０００６】
本考案に係る携帯用ヘアアイロンは、毛髪を挟持して加熱する携帯用ヘアアイロンであって、
基端部を支点に開閉自在に連結する第１及び第２グリップ部と、
第１及び第２グリップ部に、それぞれ、各グリップ部の長軸方向に移動可能に取り付けられる第１及び第２ヘッド部と、を備え、
第１及び第２ヘッド部の少なくとも一方は、毛髪を加熱する加熱部を有する携帯用ヘアアイロンである。
【０００７】
本考案に係る携帯用ヘアアイロンであれば、全長を約半分にすることができ、嵩張ることがなく、持ち運びに適している。
【０００８】
本考案に係る携帯用ヘアアイロンは、第１及び第２グリップ部は、先端部に、第１及び第２固定具を有し、
第１及び第２ヘッド部は、対向する面の各背面に、それぞれ第１及び第２固定具を受ける第１及び第２固定具受けを有する、携帯用ヘアアイロンである。
【０００９】
本考案に係る携帯用ヘアアイロンであれば、容易にヘッド部をグリップ部間に収納可能であり、持ち運びに適している。
【００１０】
本考案に係る携帯用ヘアアイロンの第１固定具受けは、第１ヘッド部の背面に長軸方向の一側及び他側の両方に一対設けられ、
第２固定具受けは、第１ヘッド部の背面に長軸方向の一側及び他側の両方に一対設けられる、携帯用ヘアアイロンである。
【００１１】
本考案に係る携帯用ヘアアイロンであれば、ヘッド部をグリップ部に確実に固定することができる。
【００１２】
本考案に係る携帯用ヘアアイロンの第１及び第２ヘッド部は、更に、各背面に、それぞれ、一対の第１固定具受け間で第１固定具をガイドする第１固定具ガイド及び一対の第２固定具受け間で第２固定具をガイドする第２固定具ガイドを有する、携帯ヘアアイロンである。
【００１３】
本考案に係る携帯用ヘアアイロンであれば、容易に固定具を移動しヘッド部をグリップ部に固定可能である。
【００１４】
本考案に係る携帯用ヘアアイロンは、第１及び第２グリップ部は、それぞれ、長軸方向に移動可能な第１及び第２固定具を有し、
第１及び第２ヘッド部は、対向する面の各背面に、それぞれ第１及び第２固定具を受ける第１及び第２固定具受けを有する、携帯用ヘアアイロンである。
【００１５】
本考案に係る携帯用ヘアアイロンであれば、同様に、容易にヘッド部をグリップ部間に収納可能であり、持ち運びに適している。
【００１６】
本考案に係る携帯用ヘアアイロンの第１及び第２グリップ部は、それぞれ、長軸方向に延びる第１及び第２ガイドを有し、
第１及び第２固定具は、それぞれ、第１及び第２ガイドを介して第１及び第２固定具受けにより受ける、携帯用ヘアアイロンである。
【００１７】
本考案に係る携帯用ヘアアイロンであれば、ヘッド部をグリップ部間に容易に収納可能である。
【００１８】
本考案に係る携帯用ヘアアイロン第１及び第２固定具受けは、それぞれ、第１及び第２ヘッド部のグリップ部の基端部に近接する位置に設けられる、携帯用ヘアアイロンである。
【００１９】
本考案に係る携帯用ヘアアイロンであれば、確実にヘッド部をグリップ部に固定することができる。
【００２０】
本考案に係る携帯用ヘアアイロンは、
一対のヘッド部の相対する面が平面状である、携帯用ヘアアイロンである。
【００２１】
本考案に係る携帯用ヘアアイロンであれば、ストレートヘアに毛髪を梳かすことができる。
【００２２】
本考案に係る携帯用ヘアアイロンは、
一対のヘッド部の一方が円柱状であり、他方が円柱状の外曲面に対応する曲面を有する板状体である、携帯用ヘアアイロンである。
【００２３】
本考案に係る携帯用ヘアアイロンであれば、毛髪に所望のカールをつけることが可能である。
【考案の効果】
【００２４】
本考案に係る携帯用ヘアアイロンであれば、全長を約半分にすることができ、嵩張ることなく、容易に持ち運ぶことができる。
【図面の簡単な説明】
【００２５】
【図１】図１は、第１の実施形態に係る携帯用ヘアアイロンの構成を示す平面図である。
【図２】図２は、第１の実施形態に係る携帯用ヘアアイロンの側面図である。
【図３】図３は、第１の実施形態に係る携帯用ヘアアイロンのヘッド部がグリップ部間に収納された状態を示す平面図である。
【図４】図４は、第２の実施形態に係る携帯用ヘアアイロンに係る平面図である。
【図５】図５は、第２の実施形態に係る携帯用ヘアアイロンのヘッド部がグリップ部間に収納された状態を示す平面図である。
【考案を実施するための形態】
【００２６】
以下、本考案の幾つかの実施形態を説明する。
【００２７】
（第１の実施形態）
図１及び図２に、第１の実施形態に係る携帯用ヘアアイロン１の構成を示す。ここで、図１は、平面図、図２は側面図である。ヘアアイロン１は、グリップ部１０及びヘッド部２０からなる。
【００２８】
グリップ部１０は、基端部１１を支点に先端部１３が開閉自在に連結し、Ｖ字型に開く一対の細長い板状体又は長柱状体の第１及び第２グリップ１０ａ、１０ｂからなる。また、第１及び第２グリップ部１０ａ、１０ｂの各先端部１３にはヘッド部２０を固定する第１及び第２固定具１５ａ、１５ｂ（以下、第１及び第２固定具を総称して固定具１５と言う。）を、基端部１１には電源コード２を有する。
【００２９】
ヘッド部２０は、第１及び第２ヘッド部２０ａ、２０ｂからなり、それぞれの対向する面に毛髪を加熱する加熱部２１及びヘッド部２０に内蔵された加熱用ヒータ（不図示）を有する。第１及び第２ヘッド部２０ａ、２０ｂは、それぞれの加熱部２１の背面側に位置する背面２２に、第１及び第２固定具１５ａ、１５ｂにそれぞれ対応して移動可能に第１及び第２ヘッド部２０ａ、２０ｂを固定する第１及び第２固定具受け２３ａ、２３ｂ（以下、第１及び第２固定具受け２３ａ、２３ｂを総称して固定具受け２３と言う。）を有する。また、第１及び第２固定具受け２３ａ、２３ｂは、それぞれ、グリップ部１０の先端部１３側及び基端部１１側に位置する一対の固定具受けからなる。この一対の固定具受けは、ヘッド部２０を移動する際に各固定具１５をガイドする各背面２２に設けられた第１及び第２固定具ガイド２５ａ、２５ｂ（以下、第１及び第２固定具ガイド２５ａ、２５ｂを総称して固定具ガイド２５と言う。）の両端に位置する。また、第１ヘッド部２０ａには、基端部１１を経由して電源コード２が接続され、第１ヘッド部２０ａと第２ヘッド部２０ｂは、連結コード３により通電するよう連結されている。
【００３０】
なお、固定具１５を第１及び第２の固定具受け２３ａ，２３ｂに固定する方法は、例えば、ねじ込み式で良く、確実に固定することが可能であれば、他の方法でも良い。
【００３１】
次に、第１の実施形態に係るヘアアイロン１の使用方法について、説明する。
【００３２】
先ず、基端部側の第１及び第２固定具受け２３ａ、２３ｂそれぞれに第１及び第２固定具１５ａ、１５ｂが嵌合し、それぞれの第１及び第２ヘッド部２０ａ、２０ｂが確実に第１及び第２グリップ部１０ａ、１０ｂに固定されていることを確認の上、電源コード２を電源（不図示）に差し込み、各ヘッド部２０に内蔵された加熱用ヒータ（不図示）に通電し、加熱部２１を熱する。加熱部２１が十分に熱された後に、手でグリップ部１０を把持し、ヘッド部２０に挟持した毛髪を加熱部２１により毛髪を熱する。このときに、加熱部２１が平板状であれば、ストレートヘアに梳かすことができる。
【００３３】
一方、一方のヘッド部２０が円柱状で他方のヘッド部２０がその円柱状の外曲面に対応する曲面を有する板状体であれば、所望のカールを得ることができる。なお、この場合には、円柱状のヘッド部２０に加熱部２１を有し、他方の板状体のヘッド部２０には加熱部２１を有していなくとも良い。
【００３４】
次に、携帯用ヘアアイロン１を、ヘッド部２０をグリップ部１０に収納して携帯する場合は、先ず、加熱部２１が放冷されて熱くないことを確認の上、基端部側の第１及び第２固定具受け２３ａ、２３ｂそれぞれから、第１及び第２固定具１５ａ、１５ｂの嵌合を開放する。次に、各固定具１５を各固定具ガイド２５に沿って先端部１３側の各固定具受け２３まで各固定具１５を移動させ、ヘッド部２０をグリッド部１０に収納し、各固定具１５を各固定具受け２３に嵌合し、ヘッド部２０をグリッド部１０に固定する。これにより、図３に示すように携帯用ヘアアイロン１のヘッド部２０をグリップ部１０間に収納して、携帯用ヘアアイロン１の全長を半分にすることができる。
【００３５】
（第２の実施形態）
次に、第２の実施形態を説明する。
【００３６】
図４に第２の実施形態に係るストレート携帯用ヘアアイロン１の構成を示す。第２の実施形態に係るヘアアイロン１は、第１の実施形態と同様にグリップ部１０及びヘッド部２０からなる。
【００３７】
グリップ部１０は、第１の実施形態と同様に基端部１１を支点に先端部１３が開閉自在に連結し、Ｖ字型に開く一対の細長い板状体又は長柱状体の第１及び第２グリップ１０、１０ｂからなる。また、第１及び第２グリップ部１０ａ、１０ｂには、それぞれの各先端部１３から基端部１１まで、ヘッド部２０を固定する第１及び第２固定具１５ａ、１５ｂが移動可能な第１及び第２ガイド１４ａ、１４ｂ（以下、第１及び第２ガイド１４ａ、１４ｂを総称してガイド１４と言う。）を有する。一方、基端部１１には電源コード２を有する。
【００３８】
ヘッド部２０は、第１の実施形態と同様に、第１及び第２ヘッド部２０ａ、２０ｂからなり、それぞれの対向する面に毛髪を加熱する加熱部２１及びヘッド部２０に内蔵された加熱用ヒータ（不図示）を有する。第１及び第２ヘッド部２０ａ、２０ｂは、それぞれの加熱部２１の背面側に位置する背面２２に、第１及び第２固定具１５ａ、１５ｂにそれぞれ対応して移動可能に第１及び第２ヘッド部２０ａ、２０ｂを固定する第１及び第２固定具受け２３ａ、２３ｂを基端部１１側一箇所に有する。また、第１ヘッド部２０ａには、基端部１１を経由して電源コード２が接続され、第１ヘッド部２０ａと第２ヘッド部２０ｂは、連結コード３により通電するよう連結されている。
【００３９】
なお、各固定具１５を各固定具受け２３ａ、２３ｂに固定する方法も、第１の実施形態と同様に、例えば、ねじ込み式で良く、確実に固定することが可能であれば、他の方法でも良い。
【００４０】
次に、第２の実施形態に係るヘアアイロン１の使用方法について、説明する。
【００４１】
第２の実施形態の毛髪を梳かし、又は所望のカールを施す方法は、第１の実施形態と同様である。
【００４２】
次に、携帯用ヘアアイロン１を、ヘッド部２０をグリップ部１０に収納して携帯する場合は、先ず、加熱部２１が放冷されて熱くないことを確認の上、第１及び第２固定具受け２３ａ、２３ｂそれぞれから第１及び第２固定具１５ａ、１５ｂの嵌合を開放する。その上で、各固定具１５を各ガイド１４に沿って各グリッド部１０の先端部１３側から基端部１１側に移動させてヘッド部２０をグリッド部１０に収納し、各固定具１５を各固定具受け２５に嵌合させ固定する。これにより、図５に示すように携帯用ヘアアイロンのヘッド部２０をグリップ部１０間に収納して、携帯用ヘアアイロン１の全長を半分にすることができる。
【産業上の利用可能性】
【００４３】
本考案に係るヘアアイロンは、全長を約半分にすることができ、嵩張ることなく、容易に持ち運ぶことができる。
【符号の説明】
【００４４】
１…ヘアアイロン
２…電源コード
３…連結コード
１０…グリップ部
１０ａ…第１グリップ部
１０ｂ…第２グリップ部
１１…基端部
１３…先端部
１４…ガイド
１４ａ…第１ガイド
１４ｂ…第２ガイド
１５…固定具
１５ａ…第１固定具
１５ｂ…第２固定具
２０…ヘッド部
２０ａ…第１ヘッド部
２０ｂ…第２ヘッド部
２１…加熱部
２２…背面
２３…固定具受け
２３ａ…第１固定具受け
２３ｂ…第２固定具受け
２５…固定具ガイド
&#8195;２５ａ…第１固定具ガイド
２５ｂ…第２固定具ガイド
【図１】
0003208559.tif 000003
【図２】
0003208559.tif 000004
【図３】
0003208559.tif 000005
【図４】
0003208559.tif 000006
【図５】
0003208559.tif 000007